(57)【要約】【課題】  使用状況に応じて、容易にディスプレイの取付け設置角度を垂直と傾斜で選択設置可能な安価で組立て式のデジタルサイネージ用スタンドを提供する。【解決手段】  キャスター２を取付けたベース本体１に垂直及び傾斜設置用の貫通穴を施した左右一対の支持金具３を立設固定し、該支持金具３にディスプレイマウントプレート５を挟着した左右支柱フレーム４を接続固定し、ディスプレイＡ本体背面に取付けたディスプレイ取付け金具６を該ディスプレイマウントプレート５へ掛止固定させる構造でデジタルサイネージ用スタンドを構成する。【選択図】図１
0003215112.tif 000002
【実用新案登録請求の範囲】
【請求項１】
ディスプレイの取付け設置角度を可変できるデジタルサイネージ用スタンドであって、キャスターを取付けたベース本体へ垂直及び傾斜設置用の貫通穴を施した左右一対の支持金具を立設固定し、該支持金具にディスプレイマウントプレートを挟着した左右支柱フレームを接続固定し、ディスプレイ本体背面に取付けたディスプレイ取付け金具を該ディスプレイマウントプレートへ掛止固定させる構造をもったデジタルサイネージ用スタンド。
【考案の詳細な説明】
【技術分野】
【０００１】  本考案は、ディスプレイを設置して電子的な情報を発信するデジタルサイネージ用スタンドに関する。
【背景技術】
【０００２】  従来のデジタルサイネージ用スタンドは、店舗や公共施設、交通機関、遊技場等などで、スタンドに取付けたディスプレイに広告や案内表示等の電子情報を映し、そのスタンドの構造としては、移動用のキャスターを取付けたベース板に支柱を立設させ、ディスプレイの背面に取付けた接続金具をこの支柱に接続固定させる構造となっている。この時、ディスプレイを取付けする際のディスプレイ設置角度は垂直か傾斜のどちらかの片方しか設定できない仕様となっている。【０００３】  例えば非特許文献１では、キャスターを有する収納ボックス型のベースに角パイプで構成された左右一体型のフレーム枠を斜めに立設固定させ、ディスプレイの背面に取付けたディスプレイ取付け金具をこのフレーム枠に接続固定させる構造となっている。
【先行技術文献】
【非特許文献】
【０００４】
【非特許文献１】「オーロラＡＶ総合カタログ  Ｖｏｌ．４７」  株式会社共栄商事，２０１７年７月，Ｐ．６８
【０００５】  しかしながらこの構造だと、ディスプレイを取付けた後に周りの環境状況や要望等により、ディスプレイの設置角度の変更を行わざるを得なくなった場合には、対応不可能である。従来、この課題に対する対策として新たに設置したい角度のスタンドを購入せざるを得ず経済的に負担がかかるだけでなく不便である。
【考案の概要】
【考案が解決しようとする課題】
【０００６】  そこで本考案は上述した問題点を勘案し、使用する状況に応じてディスプレイの取付け設置角度を垂直と傾斜で選択設置可能な安価で組立て式のデジタルサイネージ用スタンドを提供する事である。
【課題を解決するための手段】
【０００７】  裏面四隅へキャスターを取付けたベース本体表面に垂直及び傾斜設置用の貫通穴を施した左右一対の支持金具を立設固定し、該支持金具にディスプレイマウントプレートを挟着した左右支柱フレームを接続固定し、ディスプレイ本体背面に取付けたディスプレイ取付け金具を該ディスプレイマウントプレートへ掛止固定させる構造とする。
【考案の効果】
【０００８】  本考案の効果として、ベース本体表面に立設固定した左右一対の支持金具の垂直又は傾斜の貫通穴を利用して左右の支柱フレームを接続固定する為、希望する垂直又は傾斜の接続固定が可能となり、使用される状況に応じてディスプレイの設置角度を変更する事ができ便利である。
【図面の簡単な説明】
【０００９】
【図１】本考案に係るデジタルサイネージ用スタンドを傾斜設置した場合の正面斜視図である。
【図２】本考案に係るデジタルサイネージ用スタンドを垂直設置した場合の正面斜視図である。
【図３】本考案に係るデジタルサイネージ用スタンドの組立て説明図である。
【図４】本考案に係るデジタルサイネージ用スタンドの別仕様を示した正面斜視図である。
【考案を実施するための形態】
【実施例】
【００１０】  以下、本考案の形態を図に基づいて説明する。図１は、本考案のデジタルサイネージ用スタンドを傾斜位置にて設置した場合の正面斜視図である。キャスター２を取付けたベース本体１に垂直及び傾斜設置用の貫通穴を施した左右一対の支持金具３を立設固定し、該支持金具３の傾斜設置用貫通穴とディスプレイマウントプレート５を挟着した左右支柱フレーム４を接続固定し、ディスプレイＡ本体背面に取付けたディスプレイ取付け金具６を該ディスプレイマウントプレート５へ掛止固定させた構造を示している。【００１１】図２は、本考案のデジタルサイネージ用スタンドを垂直位置にて設置した場合の正面斜視図である。前記ベース本体１に立設固定した左右一対の前記支持金具４の垂直設置用貫通穴と前記ディスプレイマウントプレート５を挟着した前記支柱フレーム４を図１の形態とは違う前後逆にして接続固定し、ディスプレイＡ本体背面に取付けたディスプレイ取付け金具６を該ディスプレイマウントプレート５へ掛止固定させた構造を示している。この時、ディスプレイＡ本体の画面も前後逆向きとなる。これは、ディスプレイＡ本体を前後逆方向に垂直設置する事により、該ディスプレイＡ本体の質量重心をスタンドのベース本体１の重心に近づけ、万一の転倒の危険度を最小限に抑える為の安全対策となっている。【００１２】  図３は、本考案に係るデジタルサイネージ用スタンドの組立て説明図である。ベース本体１は、デザイン性を考慮し、前後端の折り曲げ部分にアールをもたせ裏面に補強を施し、移動用のキャスター２を四隅に取付ける。更に、ベース本体１の表面左右と両側面の裏側にナットを施した固定用の取付け穴１３を設ける。これにより、支持金具３をベース本体１表面左右に接続ボルト１４で立設固定する事ができる。【００１３】  支持金具３は、左右一対の略三角形状に折り曲げた構造とし、底辺には、ベース本体１に立設固定させる為の複数の貫通穴１２を設け、側面には支柱フレーム４を傾斜と垂直に接続固定する為の複数の貫通穴１２を設ける。これにより、前記ベース本体１に立設固定させた該支持金具３へ該支柱フレーム４を接続ボルト１４で接続固定させる事ができる。本図３の該支持金具３では、傾斜と垂直のみの２通りの設定だが、必要に応じて、細かな設定での傾斜がつけられるよう追加の貫通穴１２を設ける事も可能である。【００１４】  支柱フレーム４は、中空フレームの角パイプか楕円並行管を用い支柱フレーム４上部及び下部内側の裏面に接続固定用のナットを施した複数の取付け穴１３を設け、該支柱フレーム４最下部の内側には貫通穴１２と外側には通し穴１１を設ける。これにより、左右の支柱フレーム４上部間にディスプレイマウントプレート５を接続ボルト１４で挟持固定させることができ、左右の支柱フレーム４下部は、ベース本体１に立設した左右の支持金具３とベース本体１両側面に接続固定できる。尚、本図３の該支柱フレーム４では、該ディスプレイマウントプレート５が２段階に高さ調整できるようになっているが、更に取付け穴１３を増やしてより多段階の高さ調整を行う事も可能である。【００１５】  ディスプレイマウントプレート５は、四方を同一方向に折り曲げ箱状とし左右側面には、支柱フレーム４��の複数の接続用貫通穴１２を設け、上下側はさらに外側へ曲げクランク状の形状とし、下側にはディスプレイの背面取付け穴ピッチに合わせた複数のＶＥＳＡ規格の貫通穴１２を設ける。又、ディスプレイ取付け金具６は、コ字状に折り曲げた形状で、ディスプレイの背面に接する面には、ディスプレイの取付け穴のＶＥＳＡ規格寸法に合わせて複数の貫通穴１２を設け、上部の折り曲げ部分には切り欠き状の引っ掛け部分を施し、下部の折り曲げ部分間には、ナットを施したプレートを挟着させる。これによりディスプレイ取付け金具６をディスプレイマウントプレート５の上側で掛止し、下側の貫通穴１２を利用してディスプレイ取付け金具６下部のナットを施したプレートに接続ボルトで接続固定する事ができる為、ディスプレイ取付け金具６が可動して脱落することはなく安全である。【００１６】  図４は、本考案に係るデジタルサイネージ用スタンドの別仕様を示した正面斜視図である。本体ベース１へ垂直に立設固定した左右支柱フレーム４間前面側下部に着脱式の化粧パネル７を挟着固定し、さらにベース本体１後方に機器、機材用の収納カバー８を設置したものである。該化粧パネル７と該収納カバー８をオプションとして準備しておけば、スタンドを移動して使用しても収納カバー８内に収めた機器等からの送り出し信号にて映像等を写すことができ、さらに化粧パネル７を取付けることにより見栄えもよくなり様々な場所で利用することも可能となる。
【符号の説明】
【００１７】１    ベース本体
２    キャスター
３    支持金具
４    支柱フレーム
５    ディスプレイマウントプレート
６    ディスプレイ取付け金具
７    化粧パネル
８    収納カバー
１１  通し穴
１２  貫通穴
１３  取付け穴
１４  接続ボルト
Ａ    ディスプレイ
【図１】
0003215112.tif 000003
【図２】
0003215112.tif 000004
【図３】
0003215112.tif 000005
【図４】
0003215112.tif 000006